(57)【要約】【課題】  電線に対する取り付けおよび取り外し作業の作業性向上、作業性向上に伴う作業者の安全性向上、更には鳥害防止具の電線に対する取り付けおよび取り外し等の各種作業中や、使用中の安全性が向上した鳥害防止具を提供する。【解決手段】  電線に取り付けられる電線取付部と、該電線取付部に突設された離隔部とを備え、電線取付部を介して電線の長手方向に沿って間隔をあけて複数取り付けられると共に、各々の離隔部の間に電線と略平行にライン材を架設して鳥の飛来を防ぐ鳥害防止具であって、  電線取付部は、電線を挿入するための開口部と、該開口部に設けられた軸部と、係合部とを有しており、前記軸部において基部を回動自在に軸支されて開閉自在である前記開口部を塞ぐための蓋部を備え、該蓋部は前記係合部に係合する被係合部を有していて、係合状態において蓋部の閉状態が保持されることを特徴とする。【選択図】      図１
2020054274.tif 000002
【特許請求の範囲】
【請求項１】
電線に取り付けられる電線取付部と、該電線取付部に突設された離隔部とを備え、電線取付部を介して電線の長手方向に沿って間隔をあけて複数取り付けられると共に、各々の離隔部の間に電線と略平行にライン材を架設して鳥の飛来を防ぐ鳥害防止具であって、
電線取付部は、電線を挿入するための開口部と、該開口部に設けられた軸部と、係合部とを有しており、
前記軸部において基部を回動自在に軸支されて開閉自在である前記開口部を塞ぐための蓋部を備え、該蓋部は前記係合部に係合する被係合部を有していて、係合状態において蓋部の閉状態が保持されることを特徴とする鳥害防止具。
【請求項２】
前記被係合部が、蓋部の先部に設けられていることを特徴とする請求項１記載の鳥害防止具。
【請求項３】
電線取付部は、電線の一側を保持する受け部と、該受け部と電線を介して対向する位置から電線の他側を押圧保持する締付部とを備え、該締付部を挟んで電線とは反対側に前記係合部が設けられていることを特徴とする請求項１または２記載の鳥害防止具。
【請求項４】
爪状の前記係合部と、該係合部にスナップフィット係合可能な孔状の前記被係合部を有し、係合状態において前記係合部の先部を押し下げることでスナップフィット係合が解除されることを特徴とする請求項１、２、または３記載の鳥害防止具。
【発明の詳細な説明】
【技術分野】
【０００１】
本発明は、電線に沿って複数取り付けることで鳥の飛来や営巣を防ぐ鳥害防止具に関するものである。
【背景技術】
【０００２】
ハトやカラス等の人間の生活圏に共生した鳥が電線に留まることによって、フンや鳴声による被害が近隣住民に及ぼされていた。また、深刻なケースではフンの付着、あるいは鳥の嘴や足爪によって電線表面を損傷させ、さらには関連機器の故障を引き起こす場合もあった。そこで、特許文献１には、電柱間に架設した電線に沿って複数取り付けられ、各鳥害防止具の間に細いライン材を電線とほぼ平行に取り付けることで電線上への鳥の立ち止まりを防止する鳥害防止具が開示されている。
【先行技術文献】
【特許文献】
【０００３】
【特許文献１】特開２００９−３９０５５号公報
【発明の概要】
【発明が解決しようとする課題】
【０００４】
鳥害防止具の電線への取り付け、あるいは取り外し作業は、作業者が高所作業車のバケットに乗り込み、バケット内から作業を行う必要がある。また、作業時の感電事故を防ぐため、作業者は、電線から離れた位置から間接活線工具を用いて作業を行う必要がある。
しかし、上記特許文献１記載の鳥害防止具は、電線径が太い場合に蓋部を閉状態に固定する機構を有しておらず、鳥害防止具が電線から落下する危険があった。詳しくは、蓋部は、該締付部の係合片と蓋部の係合溝が係合する位置まで締付部を移動させ、締付部の係合片と蓋部の係合溝とが係合することで閉状態に固定されるが、電線が太い場合には、締付部の係合片と蓋部の係合溝とが係合する位置まで締付部を移動できないため、蓋部を閉状態に固定出来なかった。
また、締付部による電線取付部への電線の固定と、蓋部の閉状態への固定をそれぞれ独立して実行できないため、電線が細い場合にも、締付部を緩めると締付部と蓋部の係合も解除されるので、蓋部が開いた際には鳥害防止具が電線から外れ落下する危険があった。
更に、鳥害防止具の電線への取り付け時、取り外し時ともに、締付部を移動させるには間接活線工具を用いてナット部を回転させる必要があり、作業性の良いものが求められていた。
【０００５】
本発明は上記課題に鑑みてなされたものであり、その目的とするところは、鳥害防止具の電線に対する取り付けおよび取り外し時の作業性向上、作業性向上に伴う作業者の安全性向上、更には鳥害防止具の電線に対する取り付けおよび取り外し等の各種作業中や、使用中の鳥害防止具の落下防止による安全性向上を目的とする。
【課題を解決するための手段】
【０００６】
本発明のうち請求項１記載の鳥害防止具は、電線に取り付けられる電線取付部と、該電線取付部に突設された離隔部とを備え、電線取付部を介して電線の長手方向に沿って間隔をあけて複数取り付けられると共に、各々の離隔部の間に電線と略平行にライン材を架設して鳥の飛来を防ぐ鳥害防止具であって、電線取付部は、電線を挿入するための開口部と、該開口部に設けられた軸部と、係合部とを有しており、前記軸部において基部を回動自在に軸支されて開閉自在である前記開口部を塞ぐための蓋部を備え、該蓋部は前記係合部に係合する被係合部を有していて、係合状態において蓋部の閉状態が保持されることを特徴とする。
【０００７】
本発明のうち請求項２記載の鳥害防止具は、前記被係合部が、蓋部の先部に設けられていることを特徴とする。
【０００８】
本発明のうち請求項３記載の鳥害防止具は、電線取付部は、電線の一側を保持する受け部と、該受け部と電線を介して対向する位置から電線の他側を押圧保持する締付部とを備え、該締付部を挟んで電線とは反対側に前記係合部が設けられていることを特徴とする。
【０００９】
本発明のうち請求項４記載の鳥害防止具は、爪状の前記係合部と、該係合部にスナップフィット係合可能な孔状の前記被係合部を有し、係合状態において前記係合部の先部を押し下げることでスナップフィット係合が解除されることを特徴とする。
【発明の効果】
【００１０】
本発明のうち請求項１記載の発明によれば、鳥害防止具の電線取付部に係合部、蓋部に前記係合部に係合する被係合部を有していることで、作業者は間接活線工具で蓋部を前方から押さえるという簡単な操作で電線取付部の係合部と蓋部の被係合部を係合させ、蓋部を閉状態に固定できるので、鳥害防止具を電線に取り付ける際の作業性が向上する。
また、締付部の移動による電線の電線取付部への固定と、蓋部の閉状態への固定とを各々独立して行えるため、電線取付部に取り付ける電線が太い場合でも、電線取付部の係合部と蓋部の被係合部を係合させることで蓋部を閉状態に固定できる。更に、蓋部を閉状態に固定したまま、締付部を緩めることが可能であり、鳥害防止具の電線上の移動作業など、締付部を緩める必要がある作業を行っても、蓋部が閉状態に固定されていることから、蓋部が開くことによる鳥害防止具の落下が防止され、安全性が向上する。
【００１１】
本発明のうち請求項２の記載の発明によれば、被係合部が、蓋部の先部に設けられていることにより、電線取付部の係合部と蓋部の被係合部の係合が外れ難い。すなわち、蓋部の閉状態が保たれやすくなり、鳥害防止具の落下が防止され、安全性が向上する。詳しくは、鳥害防止具が電線に取り付けられた状態、すなわち、電線取付部の係合部と蓋部の被係合部が係合し蓋部が閉状態に固定された状態で、風などの影響で電線取付部に挿入された電線が蓋部を押した場合、蓋部は、軸部が支点、電線側面と蓋の接触点が力点、係合部と被係合部の係合箇所が作用点となる梃子と見なすことができる。このとき、係合箇所を軸部付近に設ける場合（第二種梃子）に比べ、本願請求項２の被係合部を蓋部先部に設けた構成（第三種梃子）は、力点（電線側面と蓋の接触点）に同じ大きさの力を加えた場合、作用点である係合箇所に加わる力が小さくなることから、係合部と被係合部の係合が外れ難い。
【００１２】
本発明のうち請求項３記載の発明によれば、電線取付部に設ける係合部を、電線取付部の締付部を挟んで電線とは反対側に設けることにより、係合部をコンパクトに設けることができる。詳しくは、係合部と被係合部の係合方法を例えばスナップフィットとする場合、スナップフィット係合爪である係合部を、電線取付部の締付部を挟んで電線とは反対側に設けることで、係合爪の、電線取付部からの蓋部方向への突出長さを小さくすることができるため、係合部をコンパクトに設けることができる。また、蓋部の被係合部（スナップフィット係合孔）と電線との距離も小さくすることができるので、鳥害防止具全体のコンパクト化も図れる。
【００１３】
本発明のうち請求項４記載の発明によれば、係合部の先部を押し下げることでスナップフィット係合が解除される構成であるので、電線に取り付けられた鳥害防止具の取り外しの際に先端に挟持部を備えた間接活線工具を用いることで、係合部先端の押し下げによるスナップフィット係合の解除と、蓋部先端部の持ち上げによる蓋部を開く動作を同時に実施可能であるので、蓋部を容易に開くことができ、作業性が良い。
【図面の簡単な説明】
【００１４】
【図１】電線に取り付けられた鳥害防止具の側面図である。
【図２】蓋部が閉状態の鳥害防止具の、（ａ）は正面図、（ｂ）は側面図である。
【図３】蓋部が閉状態の鳥害防止具の斜視図である。
【図４】蓋部が開状態の鳥害防止具の側面図である。
【図５】蓋部が開状態の鳥害防止具の斜視図である。
【図６】蓋部の正面図である。
【図７】図２のＡ−Ａ線縦断面の要部拡大図である。
【図８】（ａ）（ｂ）（ｃ）（ｄ）（ｅ）は鳥害防止具の電線への取り付け手順を示す側面図である。
【図９】（ａ）（ｂ）は鳥害防止具の蓋部を開ける手順を示す側面図である。
【発明を実施するための形態】
【００１５】
以下、本発明の実施の形態を図面に基づいて説明する。以下の好ましい実施形態の説明は、本質的に例示に過ぎず、本発明、その適用物あるいはその用途を制限することを意図するものではない。
本実施による鳥害防止具は、図１のように、電線Ｄに脱着可能に取り付けられる側面視略コの字状の電線取付部１と、ライン材を保持するために該電線取付部１に突設された離隔部２と、間接活線工具により鳥害防止具を保持するための把持部９から構成されている。なお、以下において前後とは図１に示す通りとする。また、上下とは図１における上下とする。該離隔部２は、前側に開口した凹部であるライン材受け部２ａとライン材押さえ部２ｂを上下に間隔を空けて２対備えており、ライン材押さえ部２ｂがライン材受け部２ａの開口部に係合することで、ライン材受け部２ａに挿入されたライン材が保持される。この鳥害防止具は、電線取付部１を介して電線Ｄの長手方向に沿って間隔をあけて複数取り付け、各鳥害防止具の離隔部２のライン材受け部２ａにライン材を固定することで、各鳥害防止具の離隔部２の間にライン材を架設して使用するものである。なお、ライン材は、本実施形態では繊維を束ねるとともに表面に樹脂被膜を施したものを使用し、絶縁性と引張り張力、剪断耐力を有するものが使用されている。該把持部９は、鳥害防止具の電線取り付け作業を行う際に把持される略平板状の垂下片であり、作業者は、把持部９を間接活線工具で把持して作業を行う。該把持部９は、離隔部２と略直線状になるように鳥害防止具の下部に設けられており、電線取付部１は、略直線状の離隔部２と把持部９に対して、電線取付部１の下部が把持部９よりも前側に位置するように傾斜して設けられている。
【００１６】
電線取付部１は、図５のように、電線Ｄを挿入するため前側に開口した開口部１ａと、該開口部１ａの上端部に略水平に設けられた軸部１ｂと、前記軸部１ｂにおいて基部を回転自在に軸支され、開口部１ａに対し開閉自在である略平板状の蓋部３と、該蓋部３を開口部１ａを塞いだ閉状態に固定するための係合部４とを備えている。蓋部３は、図６のように、基部には電線取付部１の軸部１ｂに回動自在に軸支されている軸受部３ａを有していて、先部には前記係合部４と係合する孔状の被係合部５を有している。また、蓋部３は、図４及び図５のように開口部１ａへの電線Ｄの挿入を妨げない角度まで開くことができ、また、軸部１ｂと軸受部３ａとの間の摩擦力によって、蓋部３の自重による重力程度の力では蓋部３は回動せず、開状態を維持することができる。また、蓋部３の閉状態においては、蓋部３が開口部１ａを塞いだ状態で前記係合部４と蓋部３に設けられた被係合部５が係合することにより、図１乃至図３のように蓋部３の閉状態が保持される。
電線取付部１は、図１乃至図５及び図８のように電線Ｄの上側やや後方を保持する受け部６と、電線Ｄを下側やや前方から押圧保持する締付部７とを備えている。該締付部７はナット部８を回転することで受け部６に近付く方向あるいは、受け部６から遠ざかる方向に移動する機構を備えており、ナット部８は該締付部７の下方において、ナット部８の下端が上端よりも前側に位置するように傾斜して設けられている。また、受け部６の電線Ｄとの接触面は、電線Ｄの受け部６での保持力を高める目的で複数の凹部が設けられており、更に締付部７の電線Ｄとの接触面は、締付部７がナット部８の回転で移動する際に、電線Ｄが締付部７の前側や後側に移動しないようにＶ字形状となっている。図４及び図５の状態の電線取付部１の開口部１ａに電線Ｄを挿入した後、電線Ｄの上側が受け部６に保持され電線Ｄの下側が締付部７で押圧保持される位置、すなわち、図１の状態になるまでナット部８を回転させて締付部７を受け部６方向に移動させることで受け部６と締付部７の間に電線が保持され、電線Ｄに電線取付部１が回動及び移動不能に固定される。
【００１７】
係合部４は図７のように、締付部７の下側に設けられており、係合部４は、ナット部８の上方に固定されている係合部本体４ｂと、係合部本体４ｂの上面から前方へと延出するように設けられた係合爪４ａを有しており、係合爪４ａの上面には突起部４ｃが設けられ、突起部４ｃの後ろ側には段差部４ｄが設けられている。蓋部３の被係合部５は、該係合爪４ａとスナップフィット係合可能な貫通孔である。蓋部３を閉状態になる方向に回動すると、まず、該被係合部５に係合爪４ａと係合部本体４ｂが挿入される。更に蓋部３を前方から押すことによって、被係合部５は、該被係合部５の上端部で係合爪４ａを上から押さえ係合爪４ａを撓ませながら挿入される。そして被係合部５の上端部が突起部４ｃを越え、段差部４ｄの位置になるまで挿入されると、突起部４ｃが被係合部５の上端部に係合し、係合部４と被係合部５はスナップフィット係合される。蓋部３の閉状態において、該係合爪４ａが該被係合部５にスナップフィット係合することにより蓋部３の閉状態が保持される。また、係合爪４ａと被係合部５が係合し、蓋部３が閉状態で保持された状態において、係合爪４ａの先部は蓋部３の被係合部５から前方に突出している。係合爪４ａの先部が被係合部５から前方に突出していることにより、この係合爪４ａの先部を外部から操作することが可能となり、係合爪４ａの先部を押し下げることにより係合爪４ａと被係合部５のスナップフィット係合を解除することが可能となる。
【００１８】
次に本発明の鳥害防止具を電線Ｄに取り付ける手順について説明する。尚、各鳥害防止具は、あらかじめ、離隔部２にライン材が取り付けられた状態で電線Ｄに取り付けられるが、以下の各図面では、該ライン材を省略している。また、各作業は、高所作業車のバケットから、作業者が間接活線工具を用いて実施しているが、図８では間接活線工具を省略している。
まず、図８（ａ）のように鳥害防止具の蓋部３を開口部１ａへの電線Ｄの挿入を妨げない程度の開状態とし、開口部１ａの開口径が電線Ｄの直径よりも大きくなる位置に締付部７を位置させた鳥害防止具を準備し、該鳥害防止具の把持部９を間接活線工具で把持し、図８（ｂ）のように鳥害防止具の前方から電線Ｄに近づけ、開口部１ａに電線Ｄを挿入し、次いで、図８（ｃ）のように鳥害防止具の受け部６を電線Ｄの上側に当接させる。図８（ｃ）の状態で鳥害防止具の把持部９を把持している間接活線工具とは別の間接活線工具を用いて、蓋部３の先部等を操作し、蓋部３を蓋部３が閉状態になる方向に回動させ、さらに、蓋部３を間接活線工具を用いて前方から押さえることで、図８（ｄ）のように、電線取付部１に設けた係合部４と蓋部３に設けた被係合部５が係合し、蓋部３が閉状態に保持された状況となる。その後、鳥害防止具の離隔部２が略鉛直となるように、鳥害防止具の把持部９を間接活線工具で把持しながら、鳥害防止具のナット部８を別の間接活線工具を用いて回転させることによって締付部７を受け部６方向に移動させ、電線Ｄを受け部６と締付部７の間で押圧保持することで、図８（ｅ）及び図１のように電線Ｄが電線取付部１に固定され、蓋部３が閉状態で固定された状態となる。
【００１９】
次に本発明の鳥害防止具の蓋部３を開ける手順について、鳥害防止具が、図２及び図３及び図７の状態、すなわち、電線取付部１に電線Ｄが固定されておらず、蓋部３が閉状態で固定された状態から蓋部３を開ける手順を例として、図９を用いて説明する。
間接活線工具１０は、支持部１０ａとハンドル部１０ｂから構成され、支持部１０ａとハンドル部１０ｂは、各々の先部付近の軸部１０ｃで回動可能に軸支され、ハンドル１０ｂを操作することで、ハンドル部１０ｂの先部である可動部１０ｄが回動し、該可動部１０ｄと、支持部１０ａの先部である固定部１０ｅが挟持部として動作する。図９（ａ）のように、固定部１０ｅを蓋部３の先端部の下側に当接させ、可動部１０ｄを係合爪４ａの上側から当接させた位置から可動部１０ｄが係合爪４ａを上から押さえる方向の力と、固定部１０eが蓋部３の先端部を持ち上げる方向の力が働くように、例えば間接活線工具１０全体を図９中における反時計まわりに動かすことで、図９（ｂ）のように、係合爪４ａの先部押し下げによる係合爪４ａと被係合部５のスナップフィット係合の解除と、蓋部３の先端部の引き上げによる蓋部３を開く動作とが同時に実施され、蓋部３を開けることができる。
【００２０】
次いで、本発明の鳥害防止具の作用効果について説明する。本発明の鳥害防止具は、図８に示した手順で電線Ｄに取り付けられるが、鳥害防止具の電線取付部１に係合部４、蓋部に前記係合部４に係合する被係合部５を有していることで、電線Ｄへの鳥害防止具の取り付け作業において、図８（ｃ）の蓋部３が開かれた状態から、間接活線工具等を用いて蓋部３を蓋部３が閉状態になる方向に回動させ、さらに、蓋部３を前方から押さえるという簡単な操作で、電線取付部１の係合部４と蓋部３の被係合部５を係合させ、蓋部３を閉状態に固定できるので、鳥害防止具を電線Ｄに取り付ける際の作業性が向上する。また、電線取付部１に設けた係合部４と蓋部３に設けた被係合部５の係合は、締付部７の位置に無関係に実施できることから、電線Ｄの太ささや電線Ｄの電線取付部１への固定状況に関係なく、電線取付部１の係合部４と蓋部３の被係合部５を係合させ、蓋部３を閉状態に固定することができる。更に、電線取付部１への電線Ｄの固定は、鳥害防止具のナット部８を間接活線工具を用いて回転することによって締付部７を受け部６方向に移動させ、電線Ｄを締付部７で押圧保持することで実施しているが、この作業の前に蓋部３を閉状態で固定することで、ナット部８の回転作業中、すなわち、電線Ｄが電線取付部１に固定されていない状況における、電線Ｄからの鳥害防止具の落下を防止することが可能となる。また、一旦、電線Ｄ上に取り付けた鳥害防止具を電線Ｄ上で移動させる、あるいは、鳥害防止具の設置角度を変更する際には、図８（ｅ）の状態から、間接活線工具で鳥害防止具のナット部８を回転させ、締付部７をナット部８方向に移動させ、電線Ｄの締付部７による押圧保持を解除し、図８（ｄ）のように電線取付部１に電線Ｄが固定されていない状況にした後、鳥害防止具の電線Ｄ上での移動や設置角度変更作業を行うことになるが、蓋部３が閉状態で固定されていることで、前記各作業実施中の鳥害防止具の落下が防止され、安全性が向上する。
【００２１】
また、電線Ｄへの鳥害防止具取り付け作業の途中や鳥害防止具の電線Ｄ上の移動作業や設置角度変更作業の際には、図８（ｄ）のように、蓋部３が閉状態で保持されながら、電線Ｄが電線取付部１に固定されていない状況となる。電線Ｄが電線取付部１に固定されていない状況では、風の影響や作業中の振動等の影響で電線Ｄが蓋部３を、蓋部３が開く方向に押す場合がある。このような場合、蓋部３は、軸部１ｂが支点、電線Ｄと蓋部３の接触点が力点、係合部４が作用点の梃子とみなすことができ、本発明の鳥害防止具は、被係合部５を蓋部３の先部に設けたことにより第三種梃子を構成し、電線Ｄが蓋部３を蓋部３が開く方向に押した際に係合部４と被係合部５の係合を解除しようとする方向に働く力は、電線Ｄが蓋部３を押す力よりも常に小さくなる。この結果、電線Ｄへの鳥害防止具取り付けや鳥害防止具の電線Ｄ上の移動、設置角度変更などの各種作業中に電線Ｄが蓋部３を開く方向に押したとしても蓋部３の閉状態が維持されることから、鳥害防止具の落下が防止され、安全性が向上する。
【００２２】
さらに、図７のように、電線取付部１の係合部４を、締付部７の下側に設けることにより、係合部４及び鳥害防止具全体をコンパクトに構成することができる。詳しくは、係合部４と被係合部５の係合方法をスナップフィット係合とする場合、図７のように係合部４は係合部本体４ｂと被係合部５とスナップフィット係合する係合爪４ａを有することになるが、係合部４を電線取付部１の締付部７の下側に設けることにより、係合爪４ａ及び係合部本体４ｂの蓋部３側への突出長さを小さくすることが可能となり、係合部４全体をコンパクトに設けることができる。また、被係合部５（スナップ係合孔）を備えた蓋部３の設置位置を、電線取付部１に近づけることが可能となり、鳥害防止具全体をコンパクトに構成することが可能となる。
【００２３】
また、係合部４の係合爪４ａを押し下げることでスナップフィット係合が解除されることにより、図９に示したように、先端に挟持部を備えた間接活線工具１０を用いることで、係合爪４ａの押し下げによるスナップフィット係合の解除と、蓋部３先端部の持ち上げによる蓋部３を開く動作を同時に実施可能となり、蓋部３を開けて鳥害防止具を電線Ｄから取り外す作業が容易となり作業性が向上する。
【００２４】
本発明は、上記の実施形態に限らず本発明の要旨を逸脱しない範囲で変形可能であり、鳥害防止具の各部の形状、大きさ、厚さ等は適宜変更できる。例えば、鳥害防止具の形状は、電線に取り付けられた状態で、離隔部とナット部の軸が一直線上に位置する構成でも良い。また、受け部と締付部の位置関係は、受け部が上、締付部が下である必要は無く、上下逆であっても、前後あるいは斜めから電線を挟み込んで押圧保持する構成も可能である。更には、離隔部へのライン材の固定方法は、螺子止めなど、ライン材を離隔部の任意の位置で固定できる方法であれば良いし、鳥害防止具にライン材を束ねて保持する機構を設けても良い。
【符号の説明】
【００２５】
１    電線取付部
１ａ  開口部
１ｂ  軸部
２    離隔部
２ａ  ライン材受け部
２ｂ  ライン材押さえ部
３    蓋部
３ａ  軸受部
４    係合部
４ａ  係合爪
４ｂ  係合部本体
４ｃ  突起部
４ｄ  段差部
５    被係合部
６    受け部
７    締付部
８    ナット部
９    把持部
１０    間接活線工具
１０ａ  支持部
１０ｂ  ハンドル部
１０ｃ  軸部
１０ｄ  可動部
１０ｅ  固定部
Ｄ    電線
【図１】
2020054274.tif 000003
【図２】
2020054274.tif 000004
【図３】
2020054274.tif 000005
【図４】
2020054274.tif 000006
【図５】
2020054274.tif 000007
【図６】
2020054274.tif 000008
【図７】
2020054274.tif 000009
【図８】
2020054274.tif 000010
【図９】
2020054274.tif 000011